(57)【要約】【課題】偽造カードを用いた不正取引を防止する。【解決手段】ＡＴＭ１０は、投入された情報記録カードを撮影し、情報記録カードのカード画像を取得するカード撮影部と、前回取引時にカード撮影部によって得られたカード画像を前回カード画像として取得する前回カード画像取得部と、今回取引時にカード撮影部によって得られたカード画像と、前回カード画像取得部によって得られた前回カード画像とを比較する比較部と、比較の結果に基づき、今回取引時における取引可否を決定する取引可否決定部とを備える。カード撮影部は、情報記録カードの全体の画像を取得する第１撮影部と、情報記録カードの特定部分の拡大画像を取得する第２撮影部とを備える。比較部は、第１撮影部によって撮影した全体の画像同士で前記比較を行うとともに、第２撮影部によって撮影した特定部分の拡大画像同士で前記比較を行う。【選択図】図４
2015141501.tif 000002
【特許請求の範囲】
【請求項１】
投入された情報記録カードに記録されたカード情報を読み取り、前記カード情報に基づいて取引処理を行う取引処理装置において、
前記投入された情報記録カードを撮影し、前記情報記録カードのカード画像を取得するカード撮影部と、
前回取引時に前記カード撮影部によって得られたカード画像を前回カード画像として取得する前回カード画像取得部と、
今回取引時に前記カード撮影部によって得られたカード画像と、前回カード画像取得部によって得られた前回カード画像とを比較する比較部と、
前記比較の結果に基づき、今回取引時における取引可否を決定する取引可否決定部と、
を備え、
前記カード撮影部は、
前記カード画像として、前記情報記録カードの全体の画像を取得する第１撮影部と、
前記カード画像として、前記情報記録カードの特定部分の拡大画像を取得する第２撮影部と、
を備え、
前記比較部は、
前記第１撮影部によって撮影した全体の画像同士で、前記今回取引時と前回取引時との比較を行う第１比較部と、
前記第２撮影部によって撮影した特定部分の拡大画像同士で、前記今回取引時と前回取引時との比較を行う第２比較部と、
を備える、取引処理装置。
【請求項２】
請求項１に記載の取引処理装置であって、
前記前回カード画像取得部は、前回カード画像を前記情報記録カードの外側から取得する、取引処理装置。
【請求項３】
請求項１または請求項２に記載の取引処理装置であって、
前記第２撮影部は、
今回取引時に前記カード撮影部によって取得したカード画像と、初回の取引時に前記カード画像撮影部によって得られたカード画像との比較結果から求まる不一致の領域を少なくとも含むエリアを、前記特定部分として撮影する、取引処理装置。
【請求項４】
請求項１から請求項３までのいずれか一項に記載の取引処理装置であって、
ホストコンピュータと通信を行う通信部と、
前記カード撮影部で撮影したカード画像を、前記通信部を介して前記ホストコンピュータに送信するカード画像送信部と、
を備え、
前記前回カード画像取得部は、前記通信部を介して前記ホストコンピュータから前回カード画像を取得する、取引処理装置。
【請求項５】
投入された情報記録カードに記録されたカード情報を読み取り、前記カード情報に基づいて取引処理を行う取引処理装置において、
ホストコンピュータと通信を行う通信部と、
前記投入された情報記録カードを撮影し、前記情報記録カードのカード画像を取得するカード撮影部と、
前記カード撮影部で撮影したカード画像を、前記通信部を介して前記ホストコンピュータに送信するカード画像送信部と、
今回取引時に、今回取引時に前記カード撮影部によって得られたカード画像と前回取引時に前記カード撮影部によって得られたカード画像との比較の結果に基づいて決定された、今回取引時における取引可否を、前記通信部を介して前記ホストコンピュータから受信する取引可否受信部と、
を備える、取引処理装置。
【発明の詳細な説明】
【技術分野】
【０００１】
本発明は、取引処理装置に関する。
【背景技術】
【０００２】
金融機関に設置されているＡＴＭ（Automated teller machine）等の取引処理装置においては、偽造カードによる不正取引を防止することが重要であり、様々な対策が採られている。例えば、特許文献１には、イメージスキャナによってカードを撮影し、得られた画像情報から偽造カードを判定する技術が記載されている。この技術は、詳しくは、暗証番号入力の連続失敗によって、取引中止になった後の取引のカード挿入時に、カードのイメージ（画像）の読み取りをイメージスキャナによって行い、そのイメージから比較用の画像記録情報を生成し、この生成した画像記録情報と、前回の取引時に生成して磁気ストライプ（ＭＳ）に記録した画像記録情報とを比較することにより、カードが正当なカードであるか否かを判定する。
【先行技術文献】
【特許文献】
【０００３】
【特許文献１】特開平９−２３１４４６号公報
【発明の概要】
【発明が解決しようとする課題】
【０００４】
特許文献１の技術では、比較用の画像記録情報は、カードの磁気ストライプに記録されるために、小さいサイズに制限されていた。このために、無地カードなどの低レベルの偽造カードの検出を行うことができても、カード表面の絵柄まで複写したような高レベルの偽造カードの検出はできなかった。したがって、特許文献１の技術では、偽造カードを用いた不正取引を十分に防止することができないという問題があった。
【課題を解決するための手段】
【０００５】
本発明は、上述の課題の少なくとも一部を解決するためになされたものであり、次の形態として実現することが可能である。本発明の第１の形態は、
投入された情報記録カードに記録されたカード情報を読み取り、前記カード情報に基づいて取引処理を行う取引処理装置において、
前記投入された情報記録カードを撮影し、前記情報記録カードのカード画像を取得するカード撮影部と、
前回取引時に前記カード撮影部によって得られたカード画像を前回カード画像として取得する前回カード画像取得部と、
今回取引時に前記カード撮影部によって得られたカード画像と、前回カード画像取得部によって得られた前回カード画像とを比較する比較部と、
前記比較の結果に基づき、今回取引時における取引可否を決定する取引可否決定部と、
を備え、
前記カード撮影部は、
前記カード画像として、前記情報記録カードの全体の画像を取得する第１撮影部と、
前記カード画像として、前記情報記録カードの特定部分の拡大画像を取得する第２撮影部と、
を備え、
前記比較部は、
前記第１撮影部によって撮影した全体の画像同士で、前記今回取引時と前回取引時との比較を行う第１比較部と、
前記第２撮影部によって撮影した特定部分の拡大画像同士で、前記今回取引時と前回取引時との比較を行う第２比較部と、
を備える、取引処理装置。
【０００６】
本発明の第２の形態は、
投入された情報記録カードに記録されたカード情報を読み取り、前記カード情報に基づいて取引処理を行う取引処理装置において、
ホストコンピュータと通信を行う通信部と、
前記投入された情報記録カードを撮影し、前記情報記録カードのカード画像を取得するカード撮影部と、
前記カード撮影部で撮影したカード画像を、前記通信部を介して前記ホストコンピュータに送信するカード画像送信部と、
今回取引時に、今回取引時に前記カード撮影部によって得られたカード画像と前回取引時に前記カード撮影部によって得られたカード画像との比較の結果に基づいて決定された、今回取引時における取引可否を、前記通信部を介して前記ホストコンピュータから受信する取引可否受信部と、
を備える、取引処理装置。
【発明の効果】
【０００７】
上記第１の形態の取引処理装置によれば、取引可否の決定を、情報記録カードの全体の画像と情報記録カードの特定部分の拡大画像との双方から行っているために、偽造カードの検出を高精度に行うことができる。また、上記第２の形態の取引処理装置によれば、情報記録カードのカード画像はホストコンピュータに保存されることから、カード画像を不正に書き換えることが困難である。したがって、第１および第２の形態の取引処理装置によれば、偽造されたカードを用いて不正な取引処理がなされることを十分に防止することができる。
【図面の簡単な説明】
【０００８】
【図１】本発明の一実施形態における自動取引処理装置の外観を示す説明図である。
【図２】自動取引処理装置の制御構成を示す概略ブロック図である。
【図３】不正取引防止／取引処理を示すフローチャートである。
【図４】取引開始画面およびカード読み込み中画面を例示する説明図である。
【図５】カードイメージデータベースのデータ構成を示す説明図である。
【図６】記憶部に格納されている設定ファイルの一例を示す説明図である。
【図７】カード返却画面を例示する説明図である。
【図８】前回撮影拡大イメージと最新撮影拡大イメージとの比較を示す説明図である。
【図９】撮影箇所がどのように特定されるかを示す説明図である。
【図１０】変形形態におけるカードイメージデータベースのデータ構成を示す説明図である。
【図１１】第２実施形態における不正取引防止／取引処理を示すフローチャートである。
【発明を実施するための形態】
【０００９】
次に、本発明の実施形態を説明する。
Ａ．第１実施形態：
Ａ−１．全体構成：
図１は、本発明の第１実施形態における自動取引処理装置の外観を示す説明図である。図２は、自動取引処理装置の制御構成を示す概略ブロック図である。この自動取引処理装置（以下、「ＡＴＭ」とも呼ぶ）１０は、例えば金融機関や小売店、公共施設等に設置され、顧客（利用者）の操作に基づき現金出納等の取引処理を行う装置である。ＡＴＭ１０は、現金自動預け払い機とも呼ばれる。ＡＴＭ１０は、カード処理部２０と、操作／表示部３０と、明細票処理部４０と、紙幣／硬貨処理部５０と、記憶部６０と、回線接続部７０とを備える。
【００１０】
カード処理部２０は、顧客によるキャッシュカードの投入をカード挿入口（図示せず）から受け付けるとともに、顧客に対するキャッシュカード（以下、単に「カード」と呼ぶ）の返却を行い、さらに、カードの磁気ストライプまたはＩＣチップへのリード・ライト処理を行う。また、カード処理部２０は、カードを撮影し、カードのイメージ（画像）を取得する機能を有するイメージリーダ部２２を備える。イメージリーダ部２２は、カードの全体を撮影する機能と、カードの一部分を拡大して撮影する機能とを有する。
【００１１】
操作／表示部３０は、例えばタッチパネルによって構成され、顧客に対して取引に必要な情報や操作の案内文を表示する表示部として機能するとともに、文字入力や選択ボタン・決定ボタンの押下など、顧客による、取引についての操作を受け付ける操作部としても機能する。なお、ＡＴＭ１０は、顧客インターフェースとして、操作／表示部３０とともに、顧客に対して取引に関する音声案内を実行する音声案内ガイダンス部を備えるものとしても良い。
【００１２】
明細票処理部４０は、取引した内容を明細票に印字し、ＡＴＭ１０外へ放出する機能を有する。紙幣／硬貨処理部５０は、顧客による預け入れ取引時に、入金された紙幣／硬貨を識別し、枚数を計数し、格納する機能、および顧客による引き出し時に、顧客が指定した金額を出金し、放出する機能を有する。
【００１３】
回線接続部７０は、ＬＡＮ１００を経由してセンターのホストコンピュータ１１０に接続する機能を有する。ホストコンピュータ１１０は、ＡＴＭ１０を管理するためのコンピュータ装置であり、ＡＴＭ１０のイメージリーダ部２２で取引処理の都度に撮影したイメージファイルを格納するためのカードイメージデータベース１１２を備える。
【００１４】
記憶部６０は、ハードディスクやメモリー等によって構成され、イメージリーダ部２２で撮影したイメージファイルや、回線接続部７０を介してセンターより取得したイメージファイルを一旦保持する機能を有する。
【００１５】
制御部８０は、ＣＰＵと、プログラムやデータを記憶するメモリー（ハードディスクやフラッシュメモリー等を含む）とを有し、ＣＰＵがメモリーに記憶されたプログラムを読み出して実行することにより、操作／表示部２０によって受け付けた操作に応じて、前述した各部２０〜７０の中から選択された一または複数の部を動作させて、ＡＴＭ１０における各種の取引処理を行う。なお、制御部８０は、取引を開始するに際し、投入されたカードが不正なカードであるか否かを判定し、取引の可否を決定する不正取引防止処理も併せて行う。
【００１６】
Ａ−２．ＡＴＭソフトウェアの構成：
図３は、不正取引防止／取引処理を示すフローチャートである。この不正取引防止／取引処理は、制御部８０によって実行されるもので、顧客検知部（図示せず）によって利用者（顧客）が検知されたタイミングで実行開始される。処理が開始されると、制御部８０は、操作／表示部３０に取引開始画面を表示させる。
【００１７】
図４（ａ）は、取引開始画面の一例を示す説明図である。図示するように、取引開始画面ＰＮ１は、顧客による磁気カードの挿入を受付けるためのものである。ＡＴＭ１０は、取引開始画面ＰＮ１を表示することと共に、カード挿入待ち状態で待機した状態となる。
【００１８】
次いで、制御部８０は、顧客によるカードの挿入（投入）がカード処理部２０のカード挿入口（図示無し）からあったことを検知すると（ステップＳ１２０）、カード読み込み中画面を操作／表示部３０に表示させるとともに、カード処理部２０に対して、挿入されたカードの磁気ストライプ（ＭＳ）の情報から金融機関番号、支店番号、口座番号を読み取り、顧客の口座を特定することを実行させる。（ステップＳ１３０）。図４（ｂ）には、カード読み込み中画面ＰＮ２の一例を示した。
【００１９】
続いて、制御部８０は、ステップ１３０において特定した顧客の口座において過去ＡＴＭにて取引を実施した際に撮影したカードのイメージと、撮影時の情報を取得する処理を行う（ステップＳ１４０）。詳しくは、回線接続部７０を介してセンターのホストコンピュータ１１０に対してカードイメージの取得要求を行い、ホストコンピュータ１１０は、カードイメージデータベース１１２より、口座に紐付く、初回撮影全体イメージ、前回撮影全体イメージ、前回撮影拡大イメージ、および各イメージの撮影時情報を呼び出し、ＡＴＭ１０に対して送信する。
【００２０】
図５は、カードイメージデータベース１１２のデータ構成を示す説明図である。図示するように、カードイメージデータベース１１２は、顧客の口座毎（すなわち、口座番号毎）に、カードイメージデータベース１１２に始めて登録されたカード全体を撮影したイメージである初回撮影全体イメージ、データベースに前回取引時に登録されたカード全体を撮影したイメージである前回撮影全体イメージ、前回取引時に登録されたカードの一部分を拡大した撮影イメージである前回撮影拡大イメージの３種類のイメージが格納されている。また、それぞれのイメージに対しては、撮影時の情報である被写体の中心座標とカメラの拡大率が格納されている。なお、前回撮影拡大イメージの拡大撮影されている部分がいずれの位置であるかについては、後述する。初回撮影全体イメージは、このカードを用いた初回の取引時に撮影されたものである。図３のステップＳ１４０では、ＡＴＭ１０の制御部８０は、ステップ１３０において特定した顧客の口座を検索キーとして、その検索キーに対応した初回撮影全体イメージ、前回撮影全体イメージ、および前回撮影拡大イメージを検索し、ホストコンピュータ１１０から検索結果を受信し、記憶部６０に格納する。
【００２１】
続いて、カード処理部２０に備えられるイメージリーダ部２２は、カード処理部２０に挿入されているカードを撮影し、撮影して得られたイメージを記憶部６０に格納する（ステップＳ１５０）。イメージの撮影は、カード全体の撮影と、カードの一部分を拡大して撮影することの両方を行う。なお、拡大撮影は、ステップＳ１４０によって記憶部６０に格納した前回撮影拡大イメージの撮影時の情報である被写体の中心座標とカメラの倍率を用いて行う。撮影して得られた全体のイメージは最新撮影全体イメージとして記憶部６０に格納され、撮影して得られた一部分のイメージは最新撮影拡大イメージとして記憶部６０に格納される。
【００２２】
ステップＳ１５０の実行後、制御部８０は、カード処理部２０に挿入されているカードが正規のカードであるか否かを検証するために、第一の検証ステップとして、ステップＳ１４０によって記憶部６０に格納された前回撮影全体イメージと、ステップＳ１５０によって記憶部６０に格納された最新撮影全体イメージとから、カード表面に印字されている文字情報をそれぞれ抽出し、前回撮影全体イメージから抽出された文字情報と最新撮影全体イメージから抽出された文字情報との比較を行う（Ｓ１６０）。文字情報とは、カード表面に記載された文字や数字等であり、エンボス加工されて刻印されたエンボス文字も含む。ステップＳ１６０による比較結果から、文字情報の差異個数が予め定められた閾値Ｎ１を上回ると判定された場合には（ステップＳ１７０：ＮＯ）、カード処理部２０に挿入されているカードは不正なカードであると判断し、ステップ１８０に遷移する。閾値Ｎ１は、記憶部６０に予め格納されている設定ファイルに定義されている。
【００２３】
図６は、記憶部６０に格納されている設定ファイルＴＢの一例を示す説明図である。図示するように、設定ファイルＴＢには、閾値Ｎ１として値２が登録されている。
【００２４】
図３のステップＳ１８０では、制御部８０は、回線接続部７０を介して、センターのホストコンピュータ１１０に不正なカードがＡＴＭ１０で使用された旨を通知する処理を行う。続いて、制御部８０は、取引中止を顧客に報知するために、操作／表示部３０を作動させてカード返却画面を表示し、カード処理部２０を作動させて挿入されているカードを返却する（ステップＳ１９０）。ステップＳ１９０の実行後、制御部８０は、不正取引防止／取引処理を終了する。
【００２５】
図７（ａ）は、カード返却画面の一例を示す説明図である。図３のステップＳ１９０では、カード返却画面ＰＮ３を操作／表示部３０に表示させる。
【００２６】
一方、ステップＳ１７０で、文字情報の差異個数が閾値Ｎ１以下であると判断された場合には、第二の検証ステップとして、制御部８０は、ステップＳ１４０によって記憶部６０に格納された前回撮影拡大イメージと、ステップＳ１５０によって記憶部６０に格納された最新撮影拡大イメージとを比較する（ステップＳ２００）。この比較は、図８に示すように、前回撮影拡大イメージと最新撮影拡大イメージとを４０等分の領域にそれぞれ分割し、分割した各イメージが対応する領域において、一致するイメージであるか否かの判定をイメージの色情報を基に行う。なお、本実施形態では、拡大イメージを４０等分したが、これに換えて、３５、４５等の他の数に分けてもよい。
【００２７】
ステップＳ２００の比較結果から、４０等分したイメージのうちの不一致の領域の個数（差異個数）が予め定められた閾値Ｎ２を上回ると判定された場合には（ステップＳ２１０：ＮＯ）、カード処理部２０に挿入されているカードは不正なカードであると判断し、ステップ１８０に遷移する。閾値Ｎ２は、記憶部６０に予め格納されている設定ファイルＴＢ（図６）に定義されており、本実施形態では値１０となっている。
【００２８】
一方、ステップＳ２１０で、不一致の領域の差異個数が閾値Ｎ２以下であると判断された場合には、第二の検証ステップとして、制御部８０は、カード処理部２０に挿入されているカードは、正規のカードであると判断し、ステップＳ２２０に遷移する。
【００２９】
ステップＳ２２０では、制御部８０は、次回の取引で使用する前回撮影拡大イメージを得るための撮影箇所特定処理を行う。詳しくは、制御部８０は、まず、ステップＳ１４０にて取得し記憶部６０に格納した初回撮影全体イメージと、ステップＳ１５０にて記憶部６０に格納された最新撮影全体イメージとの比較を行う。イメージの比較は、初回撮影全体イメージ（図９（ａ））と最新撮影全体イメージ（図９（ｂ））とを４０等分の領域にそれぞれ分割し、分割した各イメージが対応する領域において、一致するイメージであるか否かの判定をイメージの色情報を基に行う。なお、本実施形態では、全体イメージを４０等分したが、これに換えて、３５、４５等の他の数に分けてもよい。そして、比較の結果から、４０等分したイメージのうち、不一致の領域が集まったエリアを撮影箇所として特定する。図９（ｃ）においては、ハッチされた領域が不一致の領域である。
【００３０】
図３のステップＳ２２０の実行後、制御部８０は、イメージリーダ部２２を作動させて、ステップＳ２２０にて特定したエリアの中心ＡＣ（図９（ｃ）参照）を中心座標とし、不一致の領域が集まったエリア全体が撮影されるように拡大率を調整して撮影し、撮影して得られた撮影拡大イメージ（以下、「送信用撮影拡大イメージ」と呼ぶ）と、撮影時の情報である被写体の中心座標およびカメラの倍率と、を記憶部６０に格納する（ステップＳ２３０）。その後、制御部８０は、ステップＳ１５０にて記憶部６０に格納された最新撮影全体イメージと、ステップＳ２３０にて記憶部６０に格納した送信用撮影拡大イメージおよび撮影時の情報（中心座標および倍率）と、を回線接続部７０を介してセンターのホストコンピュータ１１０に送信する（ステップＳ２４０）。ホストコンピュータ１１０は、カードイメージデータベース１１２に、受信した最新撮影全体イメージを前回撮影全体イメージとし、送信用撮影拡大イメージを前回撮影拡大イメージとし、さらに撮影時の情報を、それぞれ口座に紐付けて登録する。
【００３１】
ステップＳ２４０の実行後、制御部８０は、取引処理を許可し、顧客が所望する任意の取引を実施する（ステップＳ２５０）。その後、制御部８０は、不正取引防止／取引処理を終了する。
【００３２】
Ａ−３．実施形態効果：
以上詳述したように、本実施形態のＡＴＭ１０によれば、前回取引時に得られた前回撮影全体イメージと前回撮影拡大イメージをホストコンピュータ１１０のカードイメージデータベース１１２に登録し、今回の取引の際には、カードイメージデータベース１１２から読み出して、記憶部６０に記憶させる。その上で、記憶部６０に記憶した前回撮影全体イメージおよび前回撮影拡大イメージと、今回取引時に撮影して得られた最新撮影全体イメージおよび最新撮影拡大イメージとの比較を行う。このために、偽造カードの検出を高精度に行うことが可能であり、また、比較用の前回撮影イメージはカードの外側であるホストコンピュータ１１０に登録されていることから、それら前回撮影イメージの書き換えは困難である。したがって、本実施形態のＡＴＭ１０によれば、偽造されたカードを用いて不正な取引処理がなされることを十分に防止することができる。さらに、次のような作用、効果を奏する。
【００３３】
ステップＳ１５０において、最新撮影拡大イメージの撮影を行うために、センターのカードイメージデータベース１１２から取得した前回撮影時の被写体の中心座標とカメラの倍率を用いているが、前回カードイメージを撮影したＡＴＭと今回カードイメージを撮影するＡＴＭで機種が異なる場合、イメージリーダ部２２の性能差等により、撮影したイメージの質に差が生じる可能性がある。このような場合には、ステップＳ１６０およびステップＳ２００で比較処理を判定する際に用いる閾値を変更することで、比較処理への影響を最小限に抑えることができる。
【００３４】
ステップＳ１７０において、イメージの比較を４０等分の領域に分けて行ったが、さらに細分化した領域に分けてイメージの比較を行うことで、比較の精度を向上させることができる。
【００３５】
ステップＳ１７０において、４０等分したイメージのうち、一致した領域が閾値を超えるか否かの判定を行ったが、完全に一致するかの比較ではなく閾値によって、比較結果を決定することで前回カード撮影時から増えているカードの傷を許容することが可能となる。
【００３６】
ステップＳ２２０において、初回撮影全体イメージと最新撮影全体イメージの比較を行うことで、カード表面上において、カードイメージの初回登録時から一番傷がついたエリアを抽出し、次取引では、この一番傷がついたエリアを中心に比較を行うことが可能となる。カード表面上の傷は、個々のカードが持つユニークな情報であり、偽造が困難である。そのため、傷がついたエリアを中心に比較を行うことで、カード表面上の模様まで偽造したカードであっても、不正カードとして検出することが可能になる。
【００３７】
なお、ステップＳ１８０において、センターへの通知時に、ステップＳ１５０にて記憶部６０に格納した最新撮影全体イメージと最新撮影拡大イメージとを回線接続部７０を介してセンターに送信し、センターのオペレータがＡＴＭ１０に挿入されたカードのイメージを閲覧できるような仕組みとしてもよい。また、ステップＳ１８０において、顧客にカードを返却せずに、操作／表示部３０にカード回収画面（ＰＮ４：図７（ｂ）参照）を表示し、カードを回収するような仕組みとしてもよい。
【００３８】
この実施形態では、初回撮影全体イメージ、前回撮影全体イメージ、および前回撮影拡大イメージをセンターより取得する構成としたが、これに換えて、これらのイメージを顧客の持つＩＣカード内のＩＣチップに保存して、ＩＣチップから取得する構成としてもよい。この構成によっても、前回撮影全体イメージ、前回撮影拡大イメージ等を利用することから、それらの書き換えが困難であった。したがって、この構成によっても、第１実施形態と同様に、偽造されたカードを用いて不正な取引処理がなされることを十分に防止することができる。
【００３９】
この実施形態では、センターより初回撮影全体イメージ、前回撮影全体イメージ、前回撮影拡大イメージの取得を行ったが、カードイメージデータベース１１２に口座に紐付くイメージが存在しなかった場合には、ＡＴＭは、イメージの比較処理は行わずに、顧客の所望するカードの撮影だけを行い、センターに撮影したカードイメージを送信し、カードイメージの登録を行うようにしてもいい。
【００４０】
この実施形態では、カード表面のイメージ情報をカードイメージデータベース１１２に格納したが、カード裏面の磁気ストライプ情報であるＪＩＳ１を用いて取引を行う場合には、カード裏面でカードが挿入されるため、裏面のイメージについても表面のイメージと同様に格納しておく構成としてもよい（図１０参照）。また、同じ口座であっても代理人カードのように別のカードが使用されることがあるため、これらのカードについても同様にイメージを保持しておくことも考えられる（図１０参照）。
【００４１】
この実施形態では、カードの拡大イメージの比較は、前回撮影拡大イメージと最新撮影拡大イメージとの間の一回であったが、拡大イメージを別の個所を拡大して撮影したイメージとし、個所毎に比較することでより、精度が高い比較を行うことができる。
【００４２】
この実施形態では、取引開始時に顧客への取引可否を決定するために、カードイメージの比較処理を行ったが、取引処理と平行して比較処理を行い、取引が確定する直前に比較結果に基づき、最終的な取引可否を判断する仕組みとしてもよい。
【００４３】
Ｂ．第２実施形態：
本発明の第２実施形態について次に説明する。第２実施形態のＡＴＭは、第１実施形態のＡＴＭ１０と比較して、制御部によって実行される不正取引防止／取引処理が相違し、その他の構成については同一である。なお、同一の構成要素については、第１実施形態と同一の符合を付し、その説明を省略する。
【００４４】
図１１は、第２実施形態における不正取引防止／取引処理を示すフローチャートである。この不正取引防止／取引処理は、第１実施形態と同様に、制御部８０によって実行されるもので、顧客検知部によって利用者（顧客）が検知されたタイミングで実行開始される。第１実施形態では、カードイメージの比較処理をＡＴＭの制御部８０によって行っていたが、これに換えて、第２実施形態では、カードイメージの比較処理をセンターのホストコンピュータで行うようにした点が相違する。
【００４５】
図１１のステップＳ３１０、Ｓ３２０，Ｓ３３０、Ｓ３４０、Ｓ３８０、およびＳ３９０は、図３のステップＳ１１０、Ｓ１２０、Ｓ１３０，Ｓ１５０、Ｓ１９０、Ｓ２５０と同一の処理内容である。制御部は、ステップＳ３４０の実行後、ステップＳ３３０によって取得した顧客の口座情報と、ステップＳ３４０にて記憶部６０に格納された最新撮影全体イメージおよび最新撮影拡大イメージとを、回線接続部７０を介してホストコンピュータに送信する（ステップＳ３５０）。ホストコンピュータは、カードイメージデータベース１１２に登録されている口座情報に紐付く前回撮影全体イメージと、ＡＴＭより受信した最新撮影全体イメージとの比較を行う。この比較は、図３のステップＳ１６０以降で実行される比較処理と同一のものであり、ＯＫかＮＧかの比較結果をＡＴＭ１０に送信する。
【００４６】
ＡＴＭの制御部８０は、比較結果を回線接続部７０を介して受信し（ステップＳ３６０）、比較結果がＮＧである場合には、カード処理部２０に挿入されたカードは不正なカードであると判断して（ステップＳ３７０：ＮＧ）、ステップＳ３８０に遷移する。ステップＳ３８０は、図３のステップＳ１９０と同一で、取引中止の処理を行う。一方、比較結果がＯＫである場合には、カード処理部２０に挿入されたカードは正規のカードであると判断して（ステップＳ３７０：ＯＫ）、ステップＳ３９０に遷移する。ステップＳ３９０は、図３のステップＳ２５０と同一で、取引処理を行う。ステップＳ３８０またはＳ３９０の実行後、不正取引防止／取引処理を終了する。
【００４７】
以上詳述したように、第２実施形態のＡＴＭによれば、前回取引時に得られた前回撮影全体イメージと前回撮影拡大イメージをホストコンピュータのカードイメージデータベース１１２に登録し、今回の取引の際には、最新撮影全体イメージと最新撮影拡大イメージとを回線接続部７０を介して送信し、ホストコンピュータ側でカードイメージの比較を行う。このために、悪意を持った者が、前回取引時に取得した撮影全体イメージおよび撮影拡大イメージを不正に書き換えることは困難である。したがって、第２実施形態のＡＴＭによれば、偽造されたカードを用いて不正な取引処理がなされることを十分に防止することができる。
【００４８】
この発明は前記実施形態やその変形例に限られるものではなく、その要旨を逸脱しない範囲において種々の態様において実施することが可能であり、例えば、現金を取り扱う自動取引処理装置に替えて、各種の自動販売機や、自動券売機、両替機等に転用することもできる。
【００４９】
なお、前述した各実施例および各変形例における構成要素の中の、独立請求項で記載された要素以外の要素は、付加的な要素であり、適宜省略可能である。
【符号の説明】
【００５０】
１０…自動取引処理装置（ＡＴＭ）
２０…カード処理部
２２…イメージリーダ部
３０…操作／表示部
４０…明細票処理部
５０…紙幣／硬貨処理部
６０…記憶部
７０…回線接続部
８０…制御部
１００…ＬＡＮ
１１０…ホストコンピュータ
１１２…カードイメージデータベース
【図１】
2015141501.tif 000003
【図２】
2015141501.tif 000004
【図３】
2015141501.tif 000005
【図４】
2015141501.tif 000006
【図５】
2015141501.tif 000007
【図６】
2015141501.tif 000008
【図７】
2015141501.tif 000009
【図８】
2015141501.tif 000010
【図９】
2015141501.tif 000011
【図１０】
2015141501.tif 000012
【図１１】
2015141501.tif 000013